(57)【要約】【課題】必要量に応じて無駄なく使用することができる衛生薄葉紙ロールを提供する。【解決手段】キッチンペーパーロールの長手方向を横切り２２０〜２８０ｍｍの間隔で切り離しうる主たるミシン目１と、幅方向の中央でかつ、長手方向に設けた第１のミシン目２と、隣り合う主たるミシン目１の中間に幅方向に第２のミシン目３とを形成する。【選択図】　　　　図１
2004049261.tif 000002
【特許請求の範囲】
【請求項１】
衛生薄葉紙を長手方向に巻き付けてロール状に形成した衛生薄葉紙ロールにおいて、
前記長手方向を横切る主たるミシン目を一定間隔ごとに形成し、この一定間隔で隣り合う前記主たるミシン目の間に、前記主たるミシン目よりも引張強度を強くするようにしたタイカット比の大きい従たるミシン目を形成したことを特徴とする、衛生薄葉紙ロール。
【請求項２】
前記従たるミシン目が前記長手方向に形成した第１のミシン目であることを特徴とする、請求項１に記載の衛生薄葉紙ロール。
【請求項３】
前記第１のミシン目を１本形成したことを特徴とする、請求項２に記載の衛生薄葉紙ロール。
【請求項４】
前記第１のミシン目を複数本形成したことを特徴とする、請求項２に記載の衛生薄葉紙ロール。
【請求項５】
前記従たるミシン目が幅方向に形成した第２のミシン目であることを特徴とする、請求項１に記載の衛生薄葉紙ロール。
【請求項６】
前記従たるミシン目が、前記長手方向にそなえられた第１のミシン目と、幅方向に形成した第２のミシン目であることを特徴とする、請求項１に記載の衛生薄葉紙ロール。
【請求項７】
前記主たるミシン目のタイカット比が０．０５５〜０．０６５で、かつ、前記第１のミシン目のタイカット比が０．０７０〜０．０９５で、かつ、前記第２のミシン目のタイカット比が０．０７０〜０．０９５であることを特徴とする、請求項６に記載の衛生薄葉紙ロール。
【発明の詳細な説明】
【０００１】
【発明の属する技術分野】
この発明は、キッチンペーパーロール、クッキングペーパーロールなどの衛生薄葉紙ロールに関する。
【０００２】
【従来の技術】
従来のキッチンペーパーロールは、図４に示すように、巻き取り方向ａに２２０ｍｍの間隔Ｌで切り離しうるミシン目１０をそなえてなる。そして、このキッチンペーパーロールを使用するときは、キッチンペーパーロールを巻き出して、ミシン目１０に沿って切り離す。
【０００３】
【発明が解決しようとする課題】
しかしながら、このような従来のキッチンペーパーロールでは、小さい紙片を使用したいときでも、２２０ｍｍ間隔のミシン目１０に沿って切り離すので、不必要な部分まで切り離してしまい、キッチンペーパーを無駄に使用するという問題があった。
【０００４】
そこで、この発明の目的は、必要量に応じて無駄なく使用することができる衛生薄葉紙ロールを提供することにある。
【０００５】
【課題を解決するための手段】
そのため、請求項１に記載の発明は、衛生薄葉紙を長手方向に巻き付けてロール状に形成した衛生薄葉紙ロールにおいて、前記長手方向を横切る主たるミシン目を一定間隔ごとに形成し、この一定間隔で隣り合う前記主たるミシン目の間に、前記主たるミシン目よりも引張強度を強くするようにしたタイカット比の大きい従たるミシン目を形成したことを特徴とする。
【０００６】
したがって、衛生薄葉紙ロールを必要量に応じて、主たるミシン目または従たるミシン目にて切り離すことができるので、衛生薄葉紙ロールを必要量に応じて無駄なく使用することができる。また、従たるミシン目の方が主たるミシン目より切り離しにくいので、主たるミシン目に沿って切り離して使用する際に、従たるミシン目には破断が及ばず、切り離した紙片を有効に使用することができる。
【０００７】
請求項２に記載の発明は、請求項１に記載の衛生薄葉紙ロールにおいて、前記従たるミシン目が前記長手方向に形成した第１のミシン目であることを特徴とする。
【０００８】
したがって、衛生薄葉紙ロールを幅方向に沿って切り離すことができ、かつ、長手方向に沿っても切り離すことができるので、衛生薄葉紙ロールを必要量に応じてより無駄なく使用することができる。
【０００９】
請求項３に記載の発明は、請求項２に記載の衛生薄葉紙ロールにおいて、前記第１のミシン目を１本形成したことを特徴とする。
【００１０】
したがって、衛生薄葉紙ロールを幅方向に異なる２つの幅に切り離すことができ、衛生薄葉紙ロールを必要量に応じて無駄なく使用することができる。
【００１１】
請求項４に記載の発明は、請求項２に記載の衛生薄葉紙ロールにおいて、前記第１のミシン目を複数本形成したことを特徴とする。
【００１２】
したがって、衛生薄葉紙ロールを長手方向に沿って複数の紙片に切り離しうるので、一層必要量に応じて無駄なく使用することができる衛生薄葉紙ロールを提供することができる。
【００１３】
請求項５に記載の発明は、請求項１に記載の衛生薄葉紙ロールにおいて、前記従たるミシン目が幅方向に形成した第２のミシン目であることを特徴とする。
【００１４】
したがって、衛生薄葉紙ロールを幅方向に沿ってより短い間隔で切り離しうるので、衛生薄葉紙ロールを必要量に応じて無駄なく使用することができる。
【００１５】
請求項６に記載の発明は、請求項１に記載の衛生薄葉紙ロールにおいて、前記従たるミシン目が、前記長手方向にそなえられた第１のミシン目と、幅方向に形成した第２のミシン目であることを特徴とする。
【００１６】
したがって、衛生薄葉紙ロールを長手方向に沿ってより短い間隔で切り離すことができ、かつ、幅方向に沿っても切り離しうるので、衛生薄葉紙ロールをより一層必要量に応じて無駄なく使用することができる。
【００１７】
請求項７に記載の発明は、請求項６に記載の衛生薄葉紙ロールにおいて、前記主たるミシン目のタイカット比が０．０５５〜０．０６５で、かつ、前記第１のミシン目のタイカット比が０．０７０〜０．０９５で、かつ、前記第２のミシン目のタイカット比が０．０７０〜０．０９５であることを特徴とする。
【００１８】
したがって、主たるミシン目の切り離し易さを保持しつつ、第１のミシン目、第２のミシン目においても、容易に切り離すことができる。
【００１９】
【発明の実施の形態】
以下、図面を参照しつつ、この発明の実施の形態につき説明する。図１に示すように、この発明の衛生薄葉紙ロールの一例としてのキッチンペーパーロールは、エンボス加工の施された２枚の吸収性を有する紙を重ね合せて接着し、長手方向に巻き付けて、幅２２８ｍｍ、長さ１２ｍ、直径１１３ｍｍのロール状に形成してなる。そして、キッチンペーパーロールの長手方向Ａを横切って２２０〜２８０ｍｍの間隔ごとに主たるミシン目１を形成し、第１のミシン目（従たるミシン目）２を長手方向Ａに沿って幅方向Ｂの中央に形成し、２２０〜２８０ｍｍの間隔で隣り合う主たるミシン目１の中間に、幅方向Ｂに沿って第２のミシン目（従たるミシン目）３を形成する。
【００２０】
この主たるミシン目１は、切り込み長さＣを８．２３ｍｍ、間隔Ｔを０．５ｍｍ、タイカット比を０．０６１とし、第１のミシン目２は、切り込み長さＣを５．５０ｍｍ、間隔Ｔを０．５ｍｍ、タイカット比を０．０９１とし、第２のミシン目３は、切り込み長さＣを６．６７ｍｍ、間隔Ｔを０．５ｍｍ、タイカット比を０．０７５とする。ここで、タイカット比とは、ミシン目の間隔Ｔをミシン目の切り込み長さＣで除したものであり、タイカット比が大きいほど切り離しにくく、タイカット比が小さいほど切り離しやすい。すなわち、タイカット比が大きいほど、ミシン目における引張強度（ＪＩＳＰ８１１３）が強くなる。
【００２１】
したがって、キッチンペーパーロールを主たるミシン目１で切り離して使用する際に、第１のミシン目２および第２のミシン目３に破断が及ばないようになっている。このとき、主たるミシン目１、第１のミシン目２、第２のミシン目３のそれぞれが交差する部分では、それぞれのミシン目の切断部分が交わらないようにそれぞれのミシン目を設ける。
【００２２】
さていま、キッチンペーパーロールを使用するには、図示しないキッチンペーパーロールホルダに、キッチンペーパーロールの中心孔４を回転自在に取り付ける。
【００２３】
そして、主たるミシン目１で切り離すときは、ユーザーはキッチンペーパーロールを巻き出して、主たるミシン目１の両側を両手で把持してキッチンペーパーロールの長手方向Ａから斜め下方に引張り、主たるミシン目１において分離して使用する。
【００２４】
また、図２において、紙片５を切り離すには、ユーザーはキッチンペーパーロールを巻き出して、先端を両手で把持し、長手方向Ａに形成した第１のミシン目２に沿って第２のミシン目３に到達するまで切り離す。そして、図３において、幅方向Ｂに形成した第２のミシン目３に沿って第１のミシン目２の切り離し部分に到達するまで切り離すと、紙片５をキッチンペーパーロールから分離して使用する。
【００２５】
なお、この例では、第１のミシン目２をキッチンペーパーロールの幅方向の中央に長手方向に沿って１本形成したが、本発明はこれに限定されるものではなく、たとえば、キッチンペーパーロールの幅方向を２：３：５に内分する箇所に長手方向に沿ってそれぞれ１本ずつ形成してもよい。
【００２６】
また、この例では、キッチンペーパーロールについて説明したが、これに限定されるものではなく、クッキングペーパーロールなどあらゆる衛生薄葉紙ロールに適用できる。
【００２７】
さらに、この例では、主たるミシン目１のタイカット比を０．０６１、第１のミシン目２のタイカット比を０．０９１、第２のミシン目３のタイカット比を０．０７５としたが、これに限定されるものではなく、第１のミシン目２、および第２のミシン目３は、主たるミシン目１のタイカット比よりも大きければよい。また、第１のミシン目２と第２のミシン目３のタイカット比は、どちらが大きくてもよい。
【００２８】
【発明の効果】
したがって、この発明によれば、必要量に応じて無駄なく使用することができる衛生薄葉紙ロールを提供することができる。
【図面の簡単な説明】
【図１】この発明の一例としてのキッチンペーパーロールの斜視図である。
【図２】キッチンペーパーロールの第１のミシン目に沿って紙片を切り離す様子を示す使用説明図である。
【図３】その第２のミシン目に沿って紙片を切り離す様子を示す使用説明図である。
【図４】従来のキッチンペーパーロールの斜視図である。
【符号の説明】
１　　主たるミシン目
２　　第１のミシン目（従たるミシン目）
３　　第２のミシン目（従たるミシン目）
【図１】
2004049261.tif 000003
【図２】
2004049261.tif 000004
【図３】
2004049261.tif 000005
【図４】
2004049261.tif 000006